(57)【要約】      （修正有）【課題】杖を立て掛けても杖が倒れない様にする。【解決手段】杖１を立て掛けない時には吸盤８や磁石１０を吸盤磁石覆い用袋５で覆っておき、杖１を立て掛る時には、下げ紐４の先に設けた吸盤８で平面に吸着させたり、又は、磁石１０を使って鉄製の構造物に引き付けさせたり、或いは、括り紐１１を使って、括り紐１１に通してある括り紐通し用輪１２を滑らせて、括り紐１１として働かせる部分の長さと握り輪１３として働かせる部分の長さを調節しながら、棒などに括る等して立て掛ける。この様に吸盤８や磁石１０や括り紐１１の付いた杖１にすることにより、安定した状態で杖１を立て掛けることを容易にすることが出来、いろいろの作業に両手を使って専念することが出来る。【選択図】図１
2017200555.tif 000002
【特許請求の範囲】
【請求項１】
ア  杖１を握る部分から数ｃｍ位離れた部分に、吊り下げ用具２を設ける。
イ  吊り下げ用具２に１５ｃｍ位の下げ紐４の一端を、双方に付けた２巻き位の輪３を組み合わせて接続する。
ウ  吸盤８と磁石１０を覆える様な大きさの袋を設けて吸盤磁石覆い用袋５とする。
エ  吸盤磁石覆い用袋５の一か所に下げ紐４を通す穴を開けて下げ紐通し用穴６とし、下げ紐通し用穴６を開けた所と反対側に吸盤８と磁石１０が出る様な穴を開けて、吸盤磁石通し用穴７とする。
オ  下げ紐４を下げ紐通し用穴６に通し、吸盤磁石通し用穴７から吸盤磁石覆い用袋５の外に出す。
カ  吸盤磁石覆い用袋５から出した下げ紐４の端に吸盤８の凸面及び磁石入れ用袋９を接続し、磁石入れ用袋９の中に磁石１０を入れて接続する。
キ  吊り下げ用具２に４５ｃｍ位の括り紐１１の一端を、双方に付けた２巻き位の輪３を組み合わせて接続する。
ク  括り紐１１の他端を括り紐通し用輪１２に滑らせて移動する様に通して、出てきた括り紐１１の他端の向きを逆の方向に向けて、括り紐通し用輪１２の外面に添わせて接続し、輪の状態になった括り紐１１の部分を握り輪１３とする。
この様に構成された、吸盤８と磁石１０と括り紐１１の付いた杖１にする。
【発明の詳細な説明】
【発明の詳細な説明】
【技術分野】
【０００１】本発明は、杖１を突いて歩いて自分の目的の場所まで行き、杖１から手を放して両手を使って字を書いたり、食事をしたり、作業をするために、杖１を一時的に安定的に立て掛けることを容易にするために考えられたものである。
【背景技術】
【０００２】従来の杖には握り輪が付いている程度で、その握り輪によって棒等に括り付けるには短く、杖が倒れない様に立て掛けるためのものは付いていなかった。
【発明が解決しようとする課題】
【０００３】杖を立て掛けると、一時的と言っても、杖は倒れ易く、次々と色々な状況に応じて杖が倒れない様にするには、細心の注意を払っていなければならず、上手く倒れない様に安定的に立て掛ける良い方法が待ち望まれていた。
【課題を解決するための手段】
【０００４】本発明はその欠点を除くために考えられたもので、これを図面により説明する。
［図１］の様に、
ア  杖１を握る部分から数ｃｍ位離れた部分に、吊り下げ用具２を設ける。
イ  吊り下げ用具２に１５ｃｍ位の下げ紐４の一端を、双方に設けた２巻き位の輪３を組み合わせて接続する。
ウ  吸盤８と磁石１０を覆える様な大きさの袋を設けて吸盤磁石覆い用袋５とする。
エ  吸盤磁石覆い用袋５の一か所に下げ紐４を通す穴を開けて下げ紐通し用穴６とし、下げ紐通し用穴６を開けた所と反対側に吸盤８と磁石１０が出る様な穴を開けて、吸盤磁石通し用穴７とする。
オ  下げ紐４を下げ紐通し用穴６に通し、吸盤磁石通し用穴７から吸盤磁石覆い用袋５の外に出す。
カ  吸盤磁石覆い用袋５から出した下げ紐４の他端に吸盤８の凸面及び磁石入れ用袋９を接続し、磁石入れ用袋９の中に磁石１０を入れて接続する。
キ  吊り下げ用具２に４５ｃｍ位の括り紐１１の一端を、双方に設けた２巻き位の輪３を組み合わせて接続する。
ク  括り紐１１の他端を括り紐通し用輪１２に滑らせて移動する様に通して、出てきた括り紐１１の他端の向きを逆の方向に向けて、括り紐通し用輪１２の外面に添わせて接続し、輪の状態になった括り紐１１の部分を握り輪１３とする。
この様に構成された、吸盤８と磁石１０と括り紐１１を付けた杖１にする。
【使用する方法】
【０００４】本発明の杖１は、以上の様な構成であるから、これを使用するには、杖１を握る時には、手から杖１が離れるのを防ぐために握り輪１３を共に握り、杖１を突いて歩いて自分の目的とする所へ行き、杖１を立て掛けようとする所の近くにある状況を観察し、ざらつきのない平面があれば吸盤８を使って吸着させ、鉄製の構造物があれば磁石１０を使って引き付けさせたり、くっつきそうなものがない時は、棒に括れる長さになる様に括り紐通し用の輪１２を滑らせて移動して、括り紐１１の長さを調節し、手すりの棒等に括り紐１１を巻き付けたり括る等をして杖１を立て掛ける。この様に使用する。
【発明を実施するための形態】
【０００５】先ず、本発明の構成の各部分の接続について説明する。
Ａ  吊り下げ用具２と下げ紐４や括り紐１１との接続は、双方の端に、スチール等の金属製やプラスチック製等、材質や形状に拘らないが、２巻き位の輪３を設けておき、それらの輪と輪を噛み合わせたり、組み合わせるという方法で接続することが出来る。
Ｂ  下げ紐４の端と吸盤８の凸面との接続は、接着剤を使って接着させたり、凸面に設けた接続用の穴等を使って、下げ紐４の端をその穴に通して接続することが出来る。
Ｃ  下げ紐４の端と磁石１０との接続は、下げ紐４と磁石１０の双方に直接，接着剤を使って接着させたり、袋に入れたり布等で包んで、その袋や布等に接着したり縫い付けたりして、その袋や布等を金属で圧着して接続することが出来る。
最近の磁石は小さくても磁力が強力になっており、必要以上に強くならない様に磁石１０を取り巻く物の厚さを調節することにより、磁力による引き付ける力の強弱を調節することが出来る。
又、同時に、布等で磁石１０を覆うことにより、接着する面に傷をつけない様にする必要がある。
吸盤通し用穴７の下の付近にホックなどを付けておいて、吸盤８や磁石１０を使わない時は、吸盤通し用穴７を閉じても良いし、開けたままでも良い。
磁石入れ用袋９を吸盤磁石覆い用袋５の内面に付けて、その磁石入れ用袋９の中に磁石１０を入れても良い。
この様にいろいろの接続方法を変えることにより、好みに合わせて作ることが出来る。
下げ紐４と吸盤８や磁石１０と括り紐１１の構成は、接続方法や形状や色等を様々に選ぶことにより、様々な工芸品が考えられる。
磁石１０の形状を円形や角形等にしたり、磁石１０の色をシルバー色、黒色、宝石を思わせる色を施したもの等にしたり、吸盤８と磁石１０の組み合わせにより、帽子のつばと頭に被る部分の形にしたり、蓑と傘の組み合わせにしたり、鈴の様な形や花の形にしたり、その他、持つ者の好みによって、いろいろ考えられ，様々な工芸品が考えられる。
【実施例】
【０００６】［図１］は本発明の実施例を示す図で、杖１に接続した吊り下げ用具２に接続した下げ紐４を吸盤磁石覆い用袋５に通し、下げ紐の他端に吸盤８と磁石入れ用袋９を接続し、磁石入れ用袋９に磁石１０を入れ、又、吊り下げ用具２に接続した括り紐４の他端を括り紐通し用輪１２に滑らせる様に通して、括り紐１１の機能の部分と握り輪１３の機能の部分を調節する様にした場合の実施例を示す図である。
［図２］は［図１］で示した実施例において、吸盤８と磁石１０が吸盤磁石覆い用袋５から出た状態を示す図である。
［図３］は吸盤磁石覆い用袋５の内面に磁石入れ用袋９を接続し、磁石入れ用袋９の中に磁石１０を入れ、吸盤磁石覆い用袋５の外面にメモ入れ１４を接続した時の実施例を示す図である。
吸盤磁石覆い用袋５と磁石入れ用袋１０やメモ入れ１４の接続は、接着したり縫い付けたりすることにより出来る。
［図４］は吸盤磁石覆い用袋５を用いない場合の実施例の図で、
ケ  吊り下げ用具２に２本の下げ紐４を、双方に設けた２巻き位の輪３を組み合わせて接続する。
コ  その下げ紐４の１本に吸盤８の凸面を接続する。
サ  もう１本の下げ紐４に磁石入れ用袋９を接続し、その磁石入れ用袋９の中に磁石１０を入れる。
シ  吊り下げ用具２に括り紐１１を、双方に設けた２巻き位の輪３を組み合わせて接続する。
ス  括り紐１１と握り輪１３の作り方及び接続方法は［図１］の場合と同様にする。
この様な構成にした杖１にすることも出来る。
【発明の効果】
【０００７】この様な杖１を使うことにより、吸盤８や磁石１０や括り紐１１の働きに助けられて杖１から手を放すことが出来、安心して字を書いたり、食事をしたり、いろいろな作業をする事に専念することが出来る。杖１を使った生活の質を一層豊かで便利なものにすることが出来る。
【図面の簡単な説明】
【０００８】
【図１】は本発明の実施例を示す図で、杖１の吊り下げ用具２を設けて、本構成が解る様に、それらの近くだけを示したもので、吸盤磁石覆い用袋５の中が見える様に半分に切った状態で、磁石入れ用袋９で見えない磁石を点線で示した斜視図。
【図２】は［図１］で示した実施例において、吸盤８と磁石１０が吸盤磁石覆い用袋５から出た状態を、吸盤磁石覆い用袋５や磁石入れ用袋９で見えなくなった下げ紐４の部分と磁石１０を点線で示した斜視図。
【図３】は吸盤磁石覆い用袋５の内面に磁石入れ用袋９を接続し、磁石入れ用袋９の中に磁石１０を入れ、吸盤磁石覆い用袋５の外面にメモ入れ１４を接続した時の実施例を示した図で、吸盤磁石覆い用袋５の中が見える様に半分に切った状態を示したもので、見えない磁石９やメモ入れ１４を点線で示した斜視図。
【図４】は吸盤磁石覆い用袋５袋を用いない場合の実施例を示した図で、磁石入れ用袋９で見えなくなった磁石１０を点線で示した斜視図。
【符号の説明】
【０００９】１    杖
２    吊り下げ用具
３    ２巻き位の輪
４    下げ紐
５    吸盤磁石覆い用袋
６    下げ紐通し用穴
７    吸盤磁石通し用穴
８    吸盤
９    磁石入れ用袋
１０  磁石
１１  括り紐
１２  括り紐通し用輪
１３  握り輪
１４  メモ入れ
【図１】
2017200555.tif 000003
【図２】
2017200555.tif 000004
【図３】
2017200555.tif 000005
【図４】
2017200555.tif 000006